(57)【要約】【課題】        電源に通ずる配線や、使わないときの据え付け装置を目障りにならないようにし、更に、ケースの広さを変えることなく、形状、サイズが多様で変化する携帯電話を保持する台部をその変化に対応して取り付けられるようにする。【解決手段】    自動車の製造工程で据え付け装置の台部を取り付けるケースをダッシュボード上部の面の下に埋め込み、また、ケース内側の広さを据え付け装置台部より一回り広くして一定にし、そのゆとりの範囲内で台部の変化に対応できるようにした。【選択図】      図５
2006051859.tif 000002
【特許請求の範囲】
【請求項１】
ノンストップ自動料金支払いシステム車載器の機能を持つ携帯電話、または、カーナビ機能を持つ携帯電話の据え付け装置台部を取り付けたケースを、ドライバー前方のダッシュボード上部の面の一定の位置の下に埋め込んだダッシュボードで、ダッシュボード上部の面を切り取った部分にケースの蓋を設け、ケース内側の広さを据え付け装置台部より一回り大きくして一定にし、形状、サイズが多様でしかも変化する携帯電話を保持する台部をケース内側の広さに合わせて成形し、ケースに填めこんで取り付ける方式を採用し、ケースの広さを変えることなく携帯電話をその変化に対応して取り付けられることを特長とする、「携帯電話の据え付け装置台部を取り付けたケース内蔵のダッシュボード」。
【請求項２】
ノンストップ自動料金支払いシステム車載器の機能を持つ携帯電話、または、カーナビ機能を持つ携帯電話の据え付け装置台部を取り付けたケースを、ドライバー前方のダッシュボード上部の面の一定の位置の下に埋め込んだダッシュボードで、ダッシュボード上部の面を切り取った部分にケースの蓋を設け、ケース内側の広さを据え付け装置台部より一回り大きくして一定にし、形状、サイズが多様でしかも変化する携帯電話を保持する台部とケース内側との間に生ずる隙間を埋める枠を成形して取り付け、その枠に台部を填め込んで取り付ける方式を採用し、ケースの広さを変えることなく台部をその変化に対応して取り付けられることを特長とする、「携帯電話の据え付け装置台部を取り付けたケース内蔵のダッシュボード」。
【請求項３】
ノンストップ自動料金支払いシステム車載器の機能を持つ携帯電話、または、カーナビ機能を持つ携帯電話の据え付け装置台部を取り付けたケースを、ドライバー前方のダッシュボード上部の面の一定の位置の下に埋め込んだダッシュボードで、ダッシュボード上部の面を切り取った部分にケースの蓋を設け、ケース内側の広さを据え付け装置台部より一回り大きくして一定にし、形状、サイズが多様でしかも変化する携帯電話を保持する台部を、ケース底面一杯に固定した中敷きに接着して取り付ける方式を採用し、ケースの広さを変えることなく台部をその変化に対応して取り付けられることを特長とする、「携帯電話の据え付け装置台部を取り付けたケース内蔵のダッシュボード」。
【発明の詳細な説明】
【技術分野】
【０００１】
本発明は、ノンストップ自動料金支払いシステム車載器の機能を持つ携帯電話、または、カーナビ機能を持つ携帯電話の据え付け装置台部を取り付けたケースを埋め込んだダッシュボードで、台部よりケースを一回り大きくして一定にし、多様で変化する携帯電話の台部の形状、サイズに対応させることを特長とするものである。
【背景技術】
【０００２】
ダッシュボードに埋め込んだ据え付け装置に、カーナビ機能を持つ携帯電話を据えてカーナビとして活用するものが既に開発されているが、表示画面を拡大して見せることを特長とするもので、多様で変化する携帯電話の据え付け装置台部の形状、サイズに対応できるものではなかった。
【特許文献１】特許第３２４３７５６号
【特許文献２】特願２００３−８２０００号
【特許文献３】特願２００３−３７１７３７号
【特許文献４】特願２００４−３３１２２号
【発明の開示】
【発明が解決しようとする課題】
【０００３】
ダッシュボード上面に取り付ける据え付け装置は、配線が露出するだけでなく、使用しないときには目障りで邪魔になる。
【０００４】
多様で変化する携帯電話の台部の形状、サイズに対応できるケースでなければならない。
【０００５】
据え付け装置の充電装置を機能させる。
【０００６】
ノンストップ自動料金支払いシステム車載器の機能を持つ携帯電話の場合、その電源とＩＣタグを結ぶ回線にスイッチを持っているので、そのスイッチをオンにする装置が必要になる。
【０００７】
ダッシュボード上部の面の多様な傾斜や曲面に影響されることなく、据え付け装置台部を水平に保ち正面に向くようにする。
【０００８】
蓋は簡便に開閉できるものがよい。
【課題を解決するための手段】
【０００９】
ダッシュボード上部の面の下に、据え付け装置の台部を取り付けるケースを埋め込む。
【００１０】
ケース内側を据え付け装置の台部より一回り広くして一定にし、台部をケース内側の広さに合わせて成形してケースに取り付け、多様で変化する携帯電話の据え付け装置台部の形状、サイズに対応させる。
【００１１】
ケース内側を据え付け装置の台部より一回り広くして一定にし、ケース内側と台部との間の隙間を埋める枠を使用して台部をケースに取り付け、多様で変化する携帯電話の据え付け装置台部の形状、サイズに対応させる。
【００１２】
ケース内側を据え付け装置の台部より一回り広くして一定にし、ケース底面一杯に中敷きを固定し、その中敷きに台部を接着して取り付け、多様で変化する携帯電話の据え付け装置台部の形状、サイズに対応させる。
【００１３】
ケース底面に電源コードの引き出し口を設けて台部に接続できるようにする。
【００１４】
据え付け装置の台部の底面に、スイッチを押して回路を開くようばねで支える突起を設ける。
【００１５】
ダッシュボード上部の面を、据え付け装置台部を水平に保ち正面に向くように切り取る。
【００１６】
蓋の開閉にちょうばんを用いる。
【００１７】
蓋の開閉をスライド式にする。
【発明の効果】
【００１８】
自動車の製造工程でケースをダッシュボードに埋め込むことにより、必要な配線を内部に隠すことができ、また、使わないときは蓋を閉めておけばフラットなダッシュボード上部の面に戻すことができる。更に、ケース内側を台部より一回り広くして一定にすることで、その広さに合わせて台部を成形するか、中敷きまたは枠を用いることで多様で変化する携帯電話を保持する台部の形状、サイズに対応することができる。
【発明を実施するための最良の形態】
【００１９】
ノンストップ自動料金支払いシステム車載器の機能を持つ携帯電話の場合、据え付け装置の台部の底面の突起がスイッチに常時密着するようにばねで支える。（図５）
【００２０】
カーナビ機能のみを持つ携帯電話の場合、携帯電話の電源とＩＣタグを結ぶ回線のスイッチは存在しないので突起は不要となる。（図７）
【００２１】
充電用の挿入栓は、車内電源に通じる充電用受け口に常時密着するようばねで支える。（図５）
【００２２】
携帯電話を確保するため、据え付け装置台部をばね式ストッパー方式にする。
【００２３】
携帯電話を確保するため、据え付け装置台部を脱落防止ストッパー方式にする。
【００２４】
ばね式ストッパーの台部を用いる場合、ストッパー部分の開閉運動を妨げないようストッパーの巾だけ枠を切り取っておく。
【００２５】
台部より一回り大きくして一定にしたケース底面一杯に固定する中敷きには、ケース底面の電源コードの引き出し口を塞がないよう同じ位置に引き出し口をあけておく。
【００２６】
ばね式ストッパーの台部は、ストッパーの内側の面とそれに向き合う面にゴム層を付けて密着性を高める。
【００２７】
ケースの蓋の開閉にはばね付きのちょうばんＡを用いる。
【００２８】
ばね式ストッパーにはばね付きのちょうばんＢを用いる。
【００２９】
ちょうばんＡを用いる蓋のキャッチは磁石式プッシュ方式のものを用いる。
【００３０】
ケースの電源コード取り入れ口から取り入れたコードを取り付け穴でボルト・ナットで取り付ける。
【実施例１】
【００３１】
ばね式ストッパーは、一旦手前に引いて携帯電話を枠の底面に押し入れてから放すと作動する。
【００３２】
脱落防止ストッパーは、携帯電話で枠の右側面のばね式押し出し具を押しておいて底面に押し入れると作動する。
【００３３】
中敷きに台部を接着して取り付ける場合、片寄らないよう中心を定めて据える。
【図面の簡単な説明】
【００３４】
【図１】ダッシュボードにケースを埋め込んだ状態を示す平面図。
【図２】ばね式ストッパーの台部を示す断面図。
【図３】ばね式ストッパーの台部をケースに取り付けた状態を示す平面図。
【図４】ばね式ストッパーの台部をケースに取り付けた状態を示す断面図。
【図５】ケースの台部に携帯電話を据えた状態を示す断面図。
【図６】隙間を埋める枠を用いてばね式ストッパーの台部を取り付けた状態を示す断面図。
【図７】カーナビ機能のみを持つ携帯電話専用の脱落防止ストッパーの台部を中敷きに接着して取り付けた状態を示す断面図。
【符号の説明】
【００３５】
１    ダッシュボード上部の面
２    ケース
３    蓋
４    ちょうばん式接続部Ａ
５    ちょうばんＡ
６    ちょうばんのばねＡ
７    ケースの右側面
８    ケースの左側面
９    ケースの底面
１０  電源コードの引き出し口
１１  据え付け装置の台部
１２  据え付け装置の台部の底面
１３  台部の突起挿入栓の台
１４  電源コードの取り入れ口
１５  電源コードの取り付け穴
１６  挿入栓のばね
１７  挿入栓
１８  突起のばね
１９  突起
２０  台部の右側面
２１  台部の左側面
２２  ちょうばんＢ
２３  ちょうばんのばねＢ
２４  ばね式ストッパー
２５  ちょうばんの接続部Ｂ
２６  ゴム層
２７  携帯電話の略図
２８  携帯電話の充電用受け口
２９  携帯電話の電源とＩＣタグを結ぶ回線のスイッチ
３０  枠
３１  脱落防止ストッパーのばね式押し出し具
３２  脱落防止ストッパーの凸部
３３  中敷き
【図１】
2006051859.tif 000003
【図２】
2006051859.tif 000004
【図３】
2006051859.tif 000005
【図４】
2006051859.tif 000006
【図５】
2006051859.tif 000007
【図６】
2006051859.tif 000008
【図７】
2006051859.tif 000009